(57)【要約】【課題】残存トナーが筐体の内壁や搬送スクリュー面に付着堆積するのを満遍なく抑制し、ブラシローラの斜毛を確実に回復させてブラシローラの長寿命化を図り、回収トナーを機外へ送り出すことのできるクリーニング装置を装着した画像形成装置の提供。【解決手段】像担持体に当接して該像担持体の残存トナーを除去するクリーニングブレードと、前記像担持体と前記クリーニングブレードの当接位置よりも前記像担持体の上流側で当接するブラシローラと、前記クリーニングブレードで回収された回収トナーを集める回収部を底部に設けた前記クリーニング装置を収容する筐体と、前記回収部に集められた回収トナーを、現像器又は廃トナーボックスに送り出すために前記回収部に設けた搬送スクリューとを有し、前記搬送スクリューのスクリュー面に接触又は近接して前記ブラシローラの毛先部が入り込む位置に搬送スクリューとブラシローラを配置した画像形成装置。【選択図】図４
2008076471.tif 000002
【特許請求の範囲】
【請求項１】
像担持体の残存トナーを清掃して回収するクリーニング装置を有する画像形成装置において、該クリーニング装置は、
前記像担持体に当接して該像担持体の残存トナーを除去するクリーニングブレードと、
前記像担持体と前記クリーニングブレードの当接位置よりも前記像担持体の回転方向に対し上流側で当接するブラシローラと、
前記クリーニングブレードで除去されたトナーを集める回収部を底部に設けた前記クリーニング装置を収容する筐体と、
前記回収部に集められたトナーを、現像器又は廃トナーボックスに送り出すために前記回収部に設けた搬送スクリューと、
を有し、
前記搬送スクリューの山から谷にかけてのスクリュー面に接触又は近接して、前記ブラシローラの毛先部が入り込んだ状態の位置に前記搬送スクリュー及び前記ブラシローラが配置されていることを特徴とする画像形成装置。
【請求項２】
前記毛先部が入り込む長さは、前記スクリュー面の山から谷に達する高さ以内であることを特徴とする請求項１に記載の画像形成装置。
【請求項３】
前記搬送スクリュー及び前記ブラシローラの接触部の周速度の方向は同方向であり、前記搬送スクリューの周速度が前記ブラシローラの周速度よりも大きくしてあることを特徴とする請求項１又は２に記載の画像形成装置。
【発明の詳細な説明】
【技術分野】
【０００１】
本発明は、像担持体をクリーニングするクリーニング装置を装着した画像形成装置に関する。
【背景技術】
【０００２】
像担持体上の残存トナーは、クリーニング装置のクリーニングブレード又はクリーニングブラシローラによって掻き落とされ、クリーニング装置の筐体の下部の回収部に集められ、そこに設けられている搬送スクリューによって機外へ搬送される。
【０００３】
しかし、回収部に集まる回収トナーは搬送スクリューや回収部の内壁に付着堆積して搬送されにくくなる。これを解決するために、特許文献１に示すように、搬送スクリューの軸に平行に設置して、該搬送スクリューに対して付勢させて揺動しながら接触する掻き落とし部材によって、付着堆積物を崩そうとする方法がある。その揺動しながら接触する掻き落とし部材は凹凸のある切れ込みや窓の開けられた長い板状に加工された部材であり、スクリュー面と接触して積極的に付着堆積トナーを崩して搬送性を挙げようとするものである。しかしそのような部材は加工がかなり難しく耐久性も良くなく、そのうえ、スクリュー面全体に接触することができないので、特に高温高湿の環境下では、部分的にトナーの付着堆積現象が起こりやすくなる。これにより、搬送スクリューの負荷が増大し、次第に回収トナーの搬送が悪くなると考えられる。
【０００４】
また、特許文献２に示すように搬送スクリューに平行して接触するゴムシートの弾性部材を用いて付着堆積物を崩すようにしたものがあるが、特許文献１と同様に部分的な接触によりトナーの掻き落としができにくいため、搬送効果は十分といえない。
【特許文献１】特開２００２−２７８４０２号公報
【特許文献２】特開平１０−１８６９８８号公報
【発明の開示】
【発明が解決しようとする課題】
【０００５】
本発明は、そのような従来技術の欠点を排して、簡潔な構造で残存トナーが筐体の内壁や搬送スクリュー面に付着したり、堆積したりするのを満遍なく抑制すると共に、更に、ブラシローラの斜毛を起毛して確実に回復させてブラシローラの長寿命化を図り、回収トナーをリサイクルトナーとして現像器へ送り込んだり、或いは廃トナーボックスへ送り込むことのできる安定確実で低コストのクリーニング装置を装着した画像形成装置を提供することを、課題目的にする。
【課題を解決するための手段】
【０００６】
この目的は次の技術手段１又は２によって達成される。
１．像担持体の残存トナーを清掃して回収するクリーニング装置を有する画像形成装置において、該クリーニング装置は、
前記像担持体に当接して該像担持体の残存トナーを除去するクリーニングブレードと、
前記像担持体と前記クリーニングブレードの当接位置よりも前記像担持体の回転方向に対し上流側で当接するブラシローラと、
前記クリーニングブレードで除去されたトナーを集める回収部を底部に設けた前記クリーニング装置を収容する筐体と、
前記回収部に集められたトナーを、現像器又は廃トナーボックスに送り出すために前記回収部に設けた搬送スクリューと、
を有し、
前記搬送スクリューの山から谷にかけてのスクリュー面に接触又は近接して、前記ブラシローラの毛先部が入り込んだ状態の位置に前記搬送スクリュー及び前記ブラシローラが配置されていることを特徴とする画像形成装置。
２．前記毛先部の入り込む長さは、前記スクリュー面の山から谷に達する高さ以内であることを特徴とする１項に記載の画像形成装置。
３．前記搬送スクリュー及び前記ブラシローラの接触部の周速度の方向は同方向であり、前記搬送スクリューの周速度が前記ブラシローラの周速度よりも大きくしてあることを特徴とする１項又は２項に記載の画像形成装置。
【０００７】
尚、本発明において、２成分トナーの場合はトナーの他にキャリアや紙粉が、１成分トナーの場合は紙粉が混じっていることもあるが、これらを包含したものを残存トナーと称する。また、回収される途次の残存トナーを単にトナー又は回収トナーと言うことがある。
【発明の効果】
【０００８】
本発明により、クリーニングブレードで像担持体から掻き取られた残存トナーは、上流側で像担持体に当接し且つ搬送スクリューのスクリュー面に接触するサブのブラシローラによって、該搬送スクリューに運びこまれて、満遍なくはたき落とされて行く。それと共に、該搬送スクリュー周辺の付着堆積物が成長しないように、それが崩されながら、トナーが該搬送スクリューによって機外へ安定確実に送り出される。また、像担持体に当接して斜毛したブラシローラは搬送スクリューによって起毛されるので必然的に長寿命化される。
【発明を実施するための最良の形態】
【０００９】
本発明の実施の形態を説明するが、以下の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１０】
先ず、クリーニング装置１９０、１９０Ａが装着されている本発明の画像形成装置としてカラー電子写真用の画像形成装置ＧＳについて、図１を用いてその概略を説明する。
【００１１】
この画像形成装置ＧＳは、タンデム型カラー画像形成装置と称せられるもので、中間転写体の移動方向に沿ってイエロー、マゼンタ、シアンおよび黒色の各カラートナー像を形成する画像形成ユニットを配置し、各画像形成ユニットの像担持体上に形成したカラートナー像を中間転写体上に多重転写して重ね合わせた後、記録媒体上に一括転写するものである。
【００１２】
図において、画像形成装置ＧＳの上部を占める位置に配設される画像読取装置ＳＣ上に載置された原稿画像が光学系により走査露光され、ラインイメージセンサＣＣＤに読み込まれ、ラインイメージセンサＣＣＤにより光電変換されたアナログ信号は、画像処理部において、アナログ処理、Ａ／Ｄ変換、シェーディング補正、画像圧縮処理等を行った後、画像書込手段としての露光光学系３に画像データ信号を送る。
【００１３】
中間転写体としてはドラム式のものや無端ベルト式のものがあり、何れも同じような機能を有するものであるが、以下の説明においては中間転写体としては無端ベルト状式中間転写体６を指すことにする。
【００１４】
また図において、無端ベルト状中間転写体６の周縁部には、イエロー（Ｙ）、マゼンタ（Ｍ）、シアン（Ｃ）及び黒色（Ｋ）の各色毎の画像形成用として４組のプロセスユニット１００がカラートナー像の形成手段として、図の矢印で示す鉛直方向の中間転写ベルト６の回転方向に対して、中間転写ベルト６に沿って垂直方向に縦列配置され、Ｙ、Ｍ、Ｃ、Ｋの順に配置されている。
【００１５】
４組のプロセスユニット１００は何れも共通した構造であり、それぞれ、像担持体である感光体ドラム１と、帯電手段としての帯電器２と、画像書込手段としての露光光学系３と、現像装置４と、像担持体クリーニング手段としての感光体のクリーニング装置１９０とからなっている。
【００１６】
像担持体である感光体ドラム１は、例えば外径が４０〜１００ｍｍ程度のアルミニウム等の金属性の部材によって形成される円筒状の基体の外周に、感光体層厚として層厚（膜厚）２０〜４０μｍ程度の有機感光体層（ＯＰＣ）の光導電層を形成したものである。感光体ドラム１は、図示しない駆動源からの動力により、導電層を接地された状態で矢印で示す方向に、例えば８０〜２８０ｍｍ／ｓ程度で、好ましくは２２０ｍｍ／ｓの線速度で回転される。
【００１７】
感光体ドラム１の周りには、帯電手段としての帯電器２、画像書込手段としての露光光学系３、現像装置４を１組とした画像形成部が、図の矢印にて示す感光体ドラム１の回転方向に対して配置される。
【００１８】
帯電手段としての帯電器２は、感光体ドラム１の回転軸に平行な方向で感光体ドラム１と対峙し近接して取り付けられる。帯電器２は、感光体ドラム１の有機感光体層に対し所定の電位を与えるコロナ放電電極としての放電ワイヤを備え、トナーと同極性のコロナ放電によって帯電作用（本実施形態においてはマイナス帯電）を行い、感光体ドラム１に対し一様な電位を与える。
【００１９】
画像書込手段である露光光学系３は、不図示の半導体レーザ（ＬＤ）光源から発光されるレーザ光を、回転多面鏡（符号なし）により主走査方向に回転走査し、ｆθレンズ（符号なし）、反射ミラー（符号なし）等を経て感光体ドラム１上を画像信号に対応する電気信号による露光（画像書込）を行い、感光体ドラム１の表面の感光体層に原稿画像に対応する静電潜像を形成する。
【００２０】
現像手段としての現像装置４は、感光体ドラム１の帯電極性と同極性に帯電されたイエロー（Ｙ）、マゼンタ（Ｍ）、シアン（Ｃ）若しくは黒色（Ｋ）の各色の２成分現像剤をそれぞれ収容し、例えば厚み０．５〜１ｍｍ、外径１５〜２５ｍｍの円筒状の非磁性のステンレスあるいはアルミ材で形成された現像剤担持体である現像ローラ４ａを備えている。現像ローラ４ａは、突き当てコロ（不図示）により感光体ドラム１と所定の間隙、例えば１００〜１０００μｍをあけて非接触に保たれ、感光体ドラム１の回転方向と同方向に回転するようになっており、現像時、現像ローラ４ａに対してトナーと同極性（本実施形態においてはマイナス極性）の直流電圧或いは直流電圧に交流電圧を重畳する現像バイアス電圧を印加することにより、感光体ドラム１上の露光部に対して反転現像が行われる。当該反転現像に使用される現像剤（トナー）としてはスチレンアクリル重合トナーが用いられる。
【００２１】
無端ベルト状中間転写体６は、体積抵抗率が１．０×１０7〜１．０×１０9Ω・ｃｍ程度で、表面抵抗率が１．０×１０10〜１．０×１０12Ω／□程度の半導電性の無端状（シームレス）の樹脂ベルト部材が用いられ、例えば変性ポリイミド、熱硬化ポリイミド、エチレンテトラフルオロエチレン共重合体、ポリフッ化ビニリデン、ナイロンアロイ等のエンジニアリングプラスチックに導電材料を分散した厚さ０．０５〜０．５ｍｍの半導電性の樹脂フィルム基体である。無端ベルト状中間転写体６の基体としては、この他に、シリコンゴム或いはウレタンゴム等に導電材料を分散した厚さ０．５〜２．０ｍｍの半導電性ゴムベルトを使用することもできる。無端ベルト状中間転写体６はガイドローラ６Ａ、テンションローラ６ａ及び二次転写ローラ７Ａに対峙するバックアップローラ６Ｂを含む複数のローラ部材により巻回され、鉛直方向に回動可能に支持されている。中間転写体としてはドラム状のものを用いることも可能である。
【００２２】
各色毎の一次転写手段としての一次転写ローラ７は、例えばシリコンやウレタン等の発泡ゴムを用いたローラ状の導電性部材からなり、無端ベルト状中間転写６を挟んで各色毎の感光体ドラム１に対向して設けられ、無端ベルト状中間転写６の背面を押圧して感光体ドラム１との間に転写域を形成する。一次転写ローラ７には定電流制御によりトナーと反対極性（本実施形態においてはプラス極性）の直流定電流が印加され、転写域に形成される転写電界によって、感光体ドラム１上のトナー像が無端ベルト状中間転写体６上に転写される。
【００２３】
画像形成工程（画像形成プロセス）について以下に説明する。
【００２４】
画像記録のスタートにより不図示の感光体駆動モータの始動によりＹの感光体ドラム１が図の矢印で示す方向へ回転され、Ｙの帯電器２によってＹの感光体ドラム１に電位が付与される。Ｙの感光体ドラム１は電位を付与された後、Ｙの露光光学系３によって第１の色信号すなわちＹの画像データに対応する電気信号による露光（画像書込）が行われ、Ｙの感光体ドラム１上にイエロー（Ｙ）の画像に対応する静電潜像が形成される。この潜像はＹの現像装置４により反転現像され、Ｙの感光体ドラム１上にイエロー（Ｙ）のトナーからなるトナー像が形成される。Ｙの感光体ドラム１上に形成されたＹのトナー像は一次転写手段としての一次転写ローラ７により無端ベルト状中間転写体６上に転写される。
【００２５】
次いで、Ｍの帯電器２によってＭの感光体ドラム１に電位が付与される。Ｍの感光体ドラム１は電位を付与された後、Ｍの露光光学系３によって第１の色信号すなわちＭの画像データに対応する電気信号による露光（画像書込）が行われ、Ｍの感光体ドラム１上にマゼンタ（Ｍ）の画像に対応する静電潜像が形成される。この潜像はＭの現像装置４により反転現像され、Ｍの感光体ドラム１上にマゼンタ（Ｍ）のトナーからなるトナー像が形成される。Ｍの感光体ドラム１上に形成されたＭのトナー像は、一次転写手段としての一次転写ローラ７によりＹのトナー像に重ね合わせて無端ベルト状上中間転写体６上に転写される。
【００２６】
同様のプロセスにより、Ｃの感光体ドラム１上に形成されたシアン（Ｃ）のトナーからなるトナー像と、Ｋの感光体ドラム１上に形成された黒色（Ｋ）のトナーからなるトナー像が順次無端ベルト状中間転写体６上に重ね合わせて形成され、無端ベルト状中間転写体６の周面上に、Ｙ、Ｍ、Ｃ及びＫのトナーからなる重ね合わせのカラートナー像が形成される。
【００２７】
転写後のそれぞれの感光体ドラム１の周面上に残ったトナーは感光体のクリーニング装置１９０によりクリーニングされる。
【００２８】
一方、給紙カセット２０Ａ、２０Ｂ、２０Ｃ内に収容された記録紙としての記録媒体Ｐは、給紙カセット２０Ａ、２０Ｂ、２０Ｃにそれぞれ設けられる送り出しローラ２１および給紙ローラ２２Ａにより給紙され、搬送路２２上を搬送ローラ２２Ｂ、２２Ｃ、２２Ｄによって搬送され、レジストローラ２３を経て、トナーと反対極性（本実施形態においてはプラス極性）の電圧が印加される二次転写手段としての二次転写ローラ７Ａに搬送され、二次転写ローラ７Ａの転写域において、無端ベルト状中間転写体６上に形成された重ね合わせのカラートナー像（カラー画像）が記録媒体Ｐ上に一括して転写される。
【００２９】
カラー画像が転写された記録媒体Ｐは、定着装置１７の加熱ローラ１７ａと加圧ローラ１７ｂとにより形成される定着ニップ部ＮＡにおいて加熱加圧されて定着され、排紙ローラ２４に挟持されて機外の排紙トレイ２５上に載置される。
【００３０】
以上は記録媒体Ｐの片側である第１面への画像形成を行う状態を説明したものであるが、両面複写の場合は、排紙切換部材２６が切り替わり、シート案内部２６Ａが開放され、記録媒体Ｐは破線矢印の方向に搬送される。
【００３１】
更に、搬送機構２７Ａにより記録媒体Ｐは下方の搬送路２７Ｂに搬送され、シート反転部２７Ｃによりスイッチバックさせられ、分岐部２７Ｄで搬送路を切り換え、今までの記録媒体Ｐの後端部は先端部となって両面複写用給紙ユニット１３０内に搬送される。
【００３２】
記録媒体Ｐは両面複写用給紙ユニット１３０に設けられた搬送ガイド１３１を給紙方向に移動し、給紙ローラ１３２で記録媒体Ｐは再給紙され、前記搬送路２２に案内される。
【００３３】
そして再び、上述したように二次転写ローラ７Ａの方向に記録媒体Ｐが搬送され、記録媒体Ｐの裏面である第２面にトナー画像を転写し、定着装置１７で定着した後、排紙トレイ２５上に排紙する。
【００３４】
また、二次転写手段としての二次転写ローラ７Ａにより記録媒体Ｐ上にカラー画像が転写された後、記録媒体Ｐを曲率分離した無端ベルト状中間転写体６は、中間転写体クリーニング手段としての中間転写体のクリーニング装置１９０Ａにより残留トナーが除去される。
【００３５】
このように像担持体として感光体及び中間転写体があり、本実施の形態では感光体として感光体ドラム１を、中間転写材体として無端ベルト状中間転写体６を用いている。クリーニング装置に関する以下の説明では、主として感光体ドラム１に対するクリーニング装置１９０について行う。無端ベルト状中間転写体６に対するクリーニング装置１９０Ａの構成も像担持体が異なるだけでクリーニング装置の構成は全く同様にすることができる。
【００３６】
電子写真方式の画像形成装置ＧＳにおける感光体ドラム１や無端ベルト状中間転写体６等の像担持体の残存トナーを清掃するためにブラシローラ１９２が用いられる。このブラシローラ１９２は単独で残存トナーＴを清掃することもできる。しかしブラシローラをメインのクリーニングブレード１９１のサブとして用いることができる。本発明はこの方式を用いている。即ち、図２の正面図及び図３の側面図に示すように配置されている。そして図４の正面図に示すように、ブラシローラ１９２は前記クリーニングブレード１９１で掻き取られた感光体ドラム１上の残存トナーＴを該感光体ドラム１に再度逆に戻されたりしないように該感光体ドラム１に当接してサブ的なクリーニングをする。それと共に、メインのクリーニングブレード１９１で掻き落とされた残存トナーＴを、ブラシ毛先部の表面及び内部に受けたブラシローラ１９２は、その残存トナーＴを感光体ドラム１の表面に近付けないような方向に接触回転することによって、筐体１９３の底部に設けた回収部１９３Ａの搬送スクリュー１９６に効率よく運んで落下させるようにしてある。
【００３７】
また、このブラシローラ１９２は、感光体ドラム１に接触して、上記トナーＴの搬送とサブ的なクリーニングを続けると斜毛が起こり外径が小さくなる。そのままだと、初期設定時の当接ニップ状態が得られなくなり、回収トナーの感光体ドラム１へのすり抜けによる再付着も起こり、ブラシローラ１９２における感光体ドラム１のクリーニング性やトナー回収性や耐久性が低下して、記録媒体Ｐに形成される画像も影響されて劣化してしまう。
【００３８】
しかし、図５の部分側面図に示すように、メインのクリーニングブレード１９１で除去される残存トナーＴが、サブのブラシローラ１９２の表面や毛の内部に入り込んだ状態で搬送スクリュー１９６に運ばれる。ここで、該ブラシローラ１９２の毛先部１９２Ａは回収部１９３Ａの搬送スクリュー１９６の山から谷にかけてのスクリュー面１９６Ａに接触又は近接して毛先部が入り込む状態になっており、スクリュー面が回転で移動することによって、毛先部１９２Ａとスクリュー面１９６Ａは、順次満遍なく接触と離間を繰り返して、残存トナーＴは確実に搬送スクリュー１９６で払い落とされる。即ち、図６の部分側面図に示すように、ブラシの毛先部１９２Ａがスクリュー面１９６Ａに密着と離間を繰り返しながら揺すられて、ブラシローラ１９２のブラシ上に載せられたりブラシ中に入り込んだ回収中の残存トナーＴは、払い落とされたり、こすり落とされて、効率よく搬送スクリュー１９６内に送り込まれる。そして該残存トナーＴは搬送スクリュー１９６によって機外への円滑な搬送がなされる。これは回収部１９３Ａの内壁やスクリュー面１９６Ａにトナーが付着堆積して搬送不良を起こしたりする不都合を伴うことなく行われる。因みにブラシローラ１９２を設けた場合は図７の部分側面図（ａ）や部分正面図（ｂ）に示すように回収部１９３Ａの内壁面やスクリュー面１９６ＡへのトナーＴの付着や堆積は確実に抑制されるが、ブラシローラ１９２を設けない場合は、図８の部分側面図（ａ）や部分正面図（ｂ）に示すように、回収部１９３Ａの内壁面やスクリュー面１９６ＡへのトナーＴの付着や堆積が所謂こびりつきや塊状（カマクラ）になって発生し、回収トナーＴの機外への搬送が著しく阻害される。
【００３９】
さて、お互いに平行に軸が配置された前記搬送スクリュー１９６及び前記ブラシローラ１９２の接触部における周速度の方向は同じ方向であり、前記搬送スクリュー１９６の周速度は前記ブラシローラ１９２の周速度よりも大きくしてある
これによって、ブラシローラ１９２の斜毛は反対方向へ曲げられるように起毛される。
【００４０】
スクリューの巻方向は排出方向によって決めれば良い。このようにして、起毛がなされて、確実に斜毛は回復させられる。そしてコンパクトで確実な低コストで長寿命のクリーニング装置を備えた画像形成装置ＧＳが得られる。
【００４１】
尚、図１に示した無端ベルト状中間転写体のクリーニング装置１９０Ａは、像担持体の違いを除いては、前述のように感光体ドラムのクリーニング装置１９０と同様に構成して作動できるので説明は省略する。
【図面の簡単な説明】
【００４２】
【図１】本発明に係る像担持体のクリーニング装置を備えた画像形成装置の要部断面構成図である。
【図２】本発明の画像形成装置における感光体ドラムのクリーニング装置の正面図である。
【図３】本発明の画像形成装置における感光体ドラムのクリーニング装置の側面図である。
【図４】感光体ドラムから掻き取られる残存トナーが筐体内で運ばれる状態を示す概略正面図である。
【図５】ブラシローラの毛先部と搬送スクリューのスクリュー面との重なり深さを示す部分側面図である。
【図６】図５におけるブラシローラの毛先部からトナーが搬送スクリューのスクリュー面にこぼれ落ちながら搬送される状況を示す図である。
【図７】ブラシローラを設けた場合における回収部の搬送スクリューが円滑にトナーを搬送する様子を示す図で（ａ）は部分側面図で、（ｂ）は部分正面図である。
【図８】ブラシローラを設けない場合における回収部の搬送スクリューが付着や堆積の障害を受けて搬送不能になる様子を示す図であり、（ａ）は部分側面図で、（ｂ）は部分正面図である。
【符号の説明】
【００４３】
１  感光体ドラム
２  帯電器
３  露光光学系
４  現像装置
６  無端ベルト状中間転写体
１９０，１９０Ａ  クリーニング装置
１９１  クリーニングブレード
１９２  ブラシローラ
１９３  筐体
１９３Ａ  回収部
１９６  搬送スクリュー
１９６Ａ  スクリュー面
ＧＳ  画像形成装置
Ｐ  記録媒体
Ｔ  残存トナー（回収トナー）
【図１】
2008076471.tif 000003
【図２】
2008076471.tif 000004
【図３】
2008076471.tif 000005
【図４】
2008076471.tif 000006
【図５】
2008076471.tif 000007
【図６】
2008076471.tif 000008
【図７】
2008076471.tif 000009
【図８】
2008076471.tif 000010